(57)【要約】【課題】ビデオテープ等の記録媒体を収納する販売用ケースからレンタル用カバーケースに簡単に替えることが出来、又、カバーケースに収納した貸出しケースがガタ付くことのないようにしたレンタル及び販売用記録媒体のカバーケースの提供。【解決手段】ケース本体と開閉するケース蓋から成り、上端には蓋部材１１が取付けられている。そして、この蓋部材１１は本体の内側面１０に設けたスライド溝７，７に沿って底部側へスライドすることが出来、又本体の内側面１０には貸出しケース２２の側面に当る当り部材２０を湾曲・突出している。【選択図】        図５
2004155474.tif 000002
【特許請求の範囲】
【請求項１】
ベース側最広面を持つ箱型形状の本体と、該本体に対して開閉可能なカバー側最広面を持つ蓋で構成して記録媒体を入れることが出来る記録媒体用カバーケースにおいて、上端には蓋部材が取付けられ、そして該蓋部材は上記本体に設けたガイドに沿って底部側へスライド出来る構造とし、本体の内側面には当り部材を取付けて内側へ湾曲・突出したことを特徴とするレンタル及び販売用記録媒体のカバーケース。
【請求項２】
上記本体の接続前面側と後側面側の両内側面にはガイドとなるスライド溝を沿設し、蓋部材の両側端に突出した突起を上記スライド溝に嵌めてスライド可能にした請求項１記載のレンタル及び販売用記録媒体のカバーケース。
【請求項３】
上記本体の内側面底部側には、凸部又は凹部を形成し、蓋部材の両側端には上記凸部又は凹部が係止する係止部を設けた請求項１、又は請求項２記載のレンタル及び販売用記録媒体のカバーケース。
【請求項４】
上記当り部材は湾曲自在な帯状体で、一方端に基部を設けると共に、該基部と先端をケース本体に係止して取付けた請求項１、請求項２、又は請求項３記載のレンタル及び販売用記録媒体のカバーケース。
【請求項５】
上記当り部材の先端が係止する係止溝をケース本体の複数箇所に設けて、内側への湾曲・突出量を調整可能にした請求項４記載のレンタル及び販売用記録媒体のカバーケース。
【請求項６】
上記当り部材の中央部には傾斜したガイドを設けた請求項４、又は請求項５記載のレンタル及び販売用記録媒体のカバーケース。
【発明の詳細な説明】
【０００１】
【発明の属する技術分野】
本発明は、ビデオテープ等をレンタルする場合、及び販売する場合に使用する記録媒体のカバーケースに関するものである。
【０００２】
【従来の技術】
音楽や映像を記録したビデオテープ等の記録媒体は、不透明な販売ケースに収納された状態で販売されている。又、レンタルショップでは販売ケースから記録媒体を取り出し、これを貸出しケースに入れ、さらに別のカバーケースに収容して陳列棚に並べている。
【０００３】
特許第２１３２８６８号に係る「ビデオテープの陳列方法及び陳列用ケース」はビデオテープをテープケース（貸出しケース）に収容し、それを陳列用ケース（カバーケース）に入れて陳列棚に並べている。この場合、ビデオテープを収容したテープケースの上端は陳列用ケースから突出した状態にあり、顧客は該陳列用ケースからテープケースを抜取って借りることが出来る。
【０００４】
しかし、上記のようなレンタルショップにおいて、販売ケースからビデオテープ等の記録媒体を取り出し、別の貸出しケース及びカバーケースに収容する場合、上記販売ケースは不用となり、ゴミとして廃棄処分されることになる。このことは非常に不経済であり、同時にプラスチック製のケースを大量に廃棄することで環境上の問題も残される。
【０００５】
そこで、従来においても、同じケースを販売用として利用出来ると共に、レンタル用としても使用可能な形態の開発がなされている。すなわち、記録媒体を販売する場合には完全に収容される販売用ケースであって、レンタル用として陳列棚に陳列する場合には、上端が開口する構造と成っている。すなわち、ビデオテープなどの記録媒体を貸出しケースに収容すると共に陳列用カバーケースに収納することで上端開口から一部が突出するように成っている。そこで、販売用ケースの上端蓋部材は取外し可能であったり、開閉可能な構造が採用されている。
【０００６】
記録媒体をレンタルするに際してカバーケース上端から突出した状態にする為には上端の蓋部材が不用であり、又記録媒体が完全にケース内に収められた販売状態とする為には、上端を含む全面の壁が必要となる。そして収容物である記録媒体が完全にケース内に収められた状態では邪魔にならず、記録媒体を突出させる為に該記録媒体の底が当って上端が突出するように、何らかの当り（支え）が必要となる。
【０００７】
これらを満足し、記録媒体が完全にケース内に収められた販売ケース状態と成り、一方では記録媒体がカバーケースから突出した状態に出来るレンタル時のカバーケースとして兼用可能なように構成した従来技術として、実開平７−２８０７９、特開平７−３３１８８、特開平１０−１７５６９３、特開平１１−４３１８８、特開２０００−８５８７５、特開２００１−１３０６８２等が知られている。
【０００８】
しかし、上記従来のカバーケースの場合、上端蓋部材を外して記録媒体の上端が突出するように高さ出し部材を組込んだり、又は上端蓋部材を回転させて高さ出し部材を突起させる等、上端蓋部材の処理と高さ出し部の処理という２つ以上の作業動作が必要となっている。レンタルショップ、又はレンタルビデオメーカーであったとしても、作業工程数は経費であり、記録媒体が完全にケース内に収められる販売ケース状態から、少ない作業工数で記録媒体がカバーケースから突出した状態となるように、レンタル時のカバーケースに変化させる事が出来る構造が望まれている。
【０００９】
一方、ビデオテープやディスクなどの記録媒体のサイズは定まっているが、該記録媒体を収容する貸出しケースの大きさは一定でなく、厚さ及び幅寸法に違いがあり、これを一定大きさの陳列用カバーケースに収納する場合には隙間が発生してガタ付きを生じたり、逆にカバーケースに入らなかったりする。貸出しケースをカバーケースに収納して陳列棚に配列する場合、上記貸出しケースがカバーケースとの間に隙間が残ってガタ付いた状態であるならば、客が手にとって傾けた際に抜け落ちることがある。
【００１０】
【発明が解決しようとする課題】
このように、従来のレンタル及び販売用記録媒体のカバーケースには上記のごとき問題がある。本発明が解決しようとする課題はこれら問題点であり、記録媒体が完全にケース内に収められる販売ケース状態から、記録媒体がケースから突出状態となるレンタル時のカバーケースに変化させるとき、簡単な作業動作にて手軽に対応することが出来るレンタル及び販売用記録媒体のカバーケースを提供する。又、貸出しケースの大きさが違っても、ガタ付くことなく安定して収納できるレンタル及び販売用記録媒体のカバーケースを提供する。
【００１１】
【課題を解決する為の手段】
本発明に係るレンタル及び販売用記録媒体のカバーケースは、レンタル用としても販売用としても使用することが出来るケースである。そこで、ケースの上端には蓋部材が取付けられ、該蓋部材はケースの本体に沿ってスライドして底部に移動することが可能な構造と成っている。蓋部材が上端に位置する状態では販売用ケースとなり、蓋部材が底部に位置する状態ではレンタル用のカバーケースとして機能する。
【００１２】
そこで、蓋部材をケース上端から底部へ移動する為には、該ケース本体にガイドを設け、蓋部材はこのガイドに沿ってスライド可能としている。すなわち、蓋部材をケース本体から取外すことなくスライドして移動させる構造となっている。ただし上記ガイドの形態は限定せず、例えばケース本体にスライド溝を沿設し、蓋部材から突出した突起が該スライド溝に嵌ってスライドさせることにより、蓋部材をケース本体から分離することなく上端から底部へ移動することが出来る。そして底部での蓋部材の位置は変更可能と成っていて、開口から突出する貸出しケースの突出量が調整できる。
【００１３】
一方、ケース本体の内側面には当り部材を取付けることで該当り部材は湾曲して突出する。当り部材の少なくとも一方端には基部が形成され、該基部はケース本体に形成している嵌合溝に嵌って取付けられ、先端も係止溝に係止する。嵌合溝と係止溝との間隔は当り部材より短く成っている為に、取付けられた当り部材は内側へ湾曲して突出する。従って、貸出しケースは該当り部材に接すると共に、ガタ付きを無くしてカバーケースに収納される。以下、本発明に係る実施例を図面に基づいて詳細に説明する。
【００１４】
【実施例】
図１は、レンタルのカバーケース内に収納される貸出しケースに記録媒体であるビデオテープを収容した状態を示す斜視図である。図２は、ビデオテープが販売ケース内に収められ、販売される状態となっている販売用記録媒体のケースを示す斜視図である。図３はビデオテープを収容した貸出しケースがレンタル用カバーケースから突出しており、レンタル時のケース状態となっているレンタル用記録媒体のカバーケースを示す斜視図である。
【００１５】
図４は、図２に示すレンタル及び販売用記録媒体のケースにおいて、カバー側最広面２を持つ本体を開けた状態を示した斜視図であり、内部にはビデオテープ２１が収納されている。この時、蓋部材１１は上端６側に位置している。図５はレンタル用記録媒体のカバーケースにおいて、カバー側最広面２を持つ本体を開けた状態を示した斜視図である。この時、蓋部材１１は底部５側に位置している。ここで、本体は箱型形状を成して、内部にはビデオテープ２１を入れた貸出しケース２２を収容することが出来る。
【００１６】
蓋部材１１を図４に示す上端位置から、図５に示す底部側ヘ移動することにより、ビデオテープがケース内に完全に収められた販売ケース状態から、上端を突出したレンタル状態のカバーケースに変化させることが出来る。
【００１７】
本発明におけるレンタル及び販売用記録媒体のカバーケースには、図５で示すように貸出しケースが挿入される内部空間の両側にスライド溝７が沿設されている。同図に示すケースには両側にスライド溝７，７が沿設されているが、片側に２本のスライド溝を沿設する場合もある。更に、本体のベース側最広面１を掘り下げたり、打抜いてスライド溝を沿設することも出来る。
【００１８】
スライド溝７の上端側と底部側には蓋部材１１が位置決めされるストッパー８，８を有し、又上端側にはスライド天部ストッパー９が設けられている。これらストッパーの位置及び数、その形状は記録媒体の大きさや種類等によって適当に定められ、同図に示す場合に限定されるものではない。蓋部材１１はスライド天部ストッパー９，９に当ってケースから外れることはなく、又ストッパー８に当ることで底部側へ移動することもない。そして、底部側へ移された蓋部材１１はストッパー８に当って上端側へ移動することが阻止される。
【００１９】
図６は蓋部材１１の斜視図である。蓋部材１１には、カバー前面側突起１２、カバー後面側突起１３、ベース前面側突起１４、ベース後面側突起１５がそれぞれ両側端に設けられている。これら各突起１２，１３，１４，１５の位置及び形状も上記ストッパーと同様に記録媒体の大きさ、種類等によって適当に設けられ、同図に示す実施例に限定されるものではない。
【００２０】
この実施例の場合、蓋部材１１のベース前面側突起１４は接続前面４側のスライド溝７に嵌め込まれ、ベース後面側突起１５は後側面３側のスライド溝７に嵌ってスライドすることが出来る。すなわち同図に示しているケース本体では、内側面１０，１０と本体のベース側最広面１との間に隙間を設けてスライド溝７，７としている。
【００２１】
図５に示すようにスライド溝７の上端側及び底部側には上記ストッパー８，８を配し、蓋部材１１を位置決めしている。該ストッパー８は片面をテーパとして、所定の方向への移動をし易くする一方、移動した蓋部材１１が戻らないように該ストッパー８に係止する。
【００２２】
蓋部材１１は図４に示す上端側位置から図５に示す底部側位置ヘ移動させるとき、蓋部材１１を摘んでスライド溝７に沿ってスライドさせることで底部側へ移動することが出来る。逆に、蓋部材１１を図５に示す底部側位置から図４に示す上端側位置ヘ移動させる場合には、蓋部材１１を摘んで僅かに持上げてストッパ８からベース前面側突起１４及びベース後面側突起１５を離脱し、そして該スライド溝７，７に沿ってスライドさせる動作のみにて作業が完了する。
【００２３】
図７はケース本体の底部側の詳細を示しているが、収納空間を形成する両内側面１０，１０の底部には夫々２本のスリット溝１７，１７・・が設けられて撓みバンド１８，１８が形成され、該撓みバンド１８，１８の中央には係止凸部１６，１６を内側へ突出している。そして、蓋部材１１の両側には前記図６に示しているように、係止溝１９，１９が設けられ、蓋部材１１が底部側へ移動するならば、上記係止凸部１６，１６は係止溝１９に係止することが出来る。蓋部材１１の適当な係止溝１９に係止凸部１６が係止することで、該蓋部材１１の位置が定まり、その結果、蓋部材１１に載る貸出しケースが開口から突出する量が調整される。ここで、撓みバンド１８側に凹部を形成すると共に蓋部材１１側に凸部を設ける場合もあり、係止手段は限定しないことにする。
【００２４】
本発明のカバーケースには、図４、図５に示しているように当り部材２０が取付けられている。該当り部材２０は撓み変形自在な帯状体を成して内側面１０から内側へ湾曲して突出し、カバーケースに収納される貸出しケースの側面に当って該貸出しケースのガタ付きを防止することが出来る。図８は当り部材２０を独立して示している具体例であり、一方端には基部２４を有して滑らかに延びる帯状体を成している。
【００２５】
この当り部材２０は基部２４が内側面１０と後側面３との間の仕切りにて形成された嵌合溝に嵌合し、先端２５は同じく内側面１０と後側面３との間に形成した係止溝に係止して取付けられ、当り部材２０が配置される領域の内側面２０は削除されて内側へ湾曲・突出している。同図の２３はガイドを表し、カバー側最広面２を開いてビデオテープを収納する際に、当り部材２０に当ることなくガイド２３に導かれて入るようにしている。そして当り部材２０はケースとは独立した部品として製作され、これがケース本体に取付けられる為に、当り部材２０の長さ及び厚さなどを調整することで貸出しケースはガタ付くことなく安定する。又、当り部材２０の長さを変えることなく、先端が係止する係止溝をケース本体の複数箇所に設けて内側への湾曲突出量を調整することも可能である。
【００２６】
ここで、記録媒体とはビデオテープ、ＤＶＤ、ＣＤ等をさす。また、ビデオテープ等が収容される貸出しケースは、防犯機能付きの場合、防犯機能がない場合もあり、本発明では限定しない。
【００２７】
【発明の効果】
以上述べたように、本発明のレンタル及び販売用記録媒体のカバーケースは、記録媒体が完全にケース内に収められる販売ケース状態から、記録媒体がカバーケースの上端から突出した状態となるレンタル時のカバーケースに変化させることが出来る。すなわち、同一ケースを販売用とレンタル用に兼用可能であり、無駄がなく経済的となる。
【００２８】
そして販売用ケースからレンタル用ケースに替える場合、又逆にレンタル用ケースから販売用ケースに替える場合には、蓋部材をスライド移動させるという１回の作業動作にて対応することが出来る為に、レンタルショップ等ではケース形態の切り替えに必要な作業工数が少なくて済み、非常に便利である。又、蓋部材がスライドするスライド溝にストッパーを設けることで、該蓋部材は定位置に安定する。
【００２９】
一方、本発明のケース本体の内側面には帯状で湾曲可能な当り部材が取付けられて、内側へ湾曲して突出している。従ってビデオテープなどの記録媒体を収容した貸出しケースの大きさにバラ付きがあっても、当り部材によってガタ付きを無くし、安定した収納が行い得る。そして、該当り部材はケース本体とは独立した部材である為に、その長さや厚さなど、収納される貸出しケースのサイズに応じて適当なものを選択して取付けることが出来る。
【図面の簡単な説明】
【図１】貸出しケースにビデオテープを収納した状態を示した斜視図。
【図２】本発明に係るレンタル及び販売用記録媒体のカバーケースに、ビデオテープが完全に収められた販売状態を示す斜視図。
【図３】本発明に係るレンタル及び販売用記録媒体のカバーケースに、ビデオテープの上端が突出して収められているレンタル状態を示す斜視図。
【図４】図２に示すレンタル及び販売用記録媒体のカバーケースの、カバー側最広面を開けた状態を示した斜視図であって、蓋部材は上端側に位置している。
【図５】レンタル及び販売用記録媒体のカバーケースの、カバー側最広面を開けた状態を示した斜視図であって、蓋部材は底部側に位置している。
【図６】蓋部材の具体例。
【図７】カバーケース本体の底部側詳細図。
【図８】当り部材の具体例。
【符号の説明】
１  ベース側最広面
２  カバー側最広面
３  後側面
４  接続前面
５  底部
６  上端
７  スライド溝
８  ストッパー
９  スライド天部ストッパー
１０  内側面
１１  蓋部材
１２  カバー前面側突起
１３  カバー後面側突起
１４  ベース前面側突起
１５  ベース後面側突起
１６  係止凸部
１７  スリット溝
１８  撓みバンド
１９  係止溝
２０  当り部材
２１  ビデオテープ
２２  貸出しケース
２３  ガイド
２４  基部
２５  先端
【図１】
2004155474.tif 000003
【図２】
2004155474.tif 000004
【図３】
2004155474.tif 000005
【図４】
2004155474.tif 000006
【図５】
2004155474.tif 000007
【図６】
2004155474.tif 000008
【図７】
2004155474.tif 000009
【図８】
2004155474.tif 000010